(57)【要約】【課題】  選択チャンネルの履歴を簡単な操作で読み出し、読み出されたチャンネルを編集チャンネルとして、その入力チャンネル信号処理手段の信号処理特性を制御するディジタルミキサ装置を提供する。【解決手段】  ディジタルミキサは、レイヤ選択スイッチ４ａ〜４ｅにより選択されているレイヤに属する複数のチャンネルの中から、セレクトスイッチ３ｂ1〜３ｂ24により、チャンネルストリップ３1〜３24に割り当てられたチャンネルを選択する。選択されたチャンネルは、履歴テーブルに保持される。履歴読出スイッチ６を押すたびにチャンネル履歴の読み出しが行われる。この読み出されたチャンネルを編集チャンネルとする。レイヤ連動モードの設定状態においては、読み出されたチャンネルの属するレイヤを選択し、このレイヤに含まれる各チャンネルをチャンネルストリップ３1〜３24に割り当てる。【選択図】  図１
2005328372.tif 000002
【特許請求の範囲】
【請求項１】
Nチャンネルの入力チャンネル信号処理手段の各出力をミキシングして出力するディジタルミキサ装置であって、
当該ディジタルミキサ装置では、前記Nチャンネルよりも少ない所定のMチャンネルを最大数とするチャンネルがそれぞれ属する複数のレイヤが規定されており、
前記複数のレイヤのうちの１つのレイヤを選択するレイヤ選択手段と、
該レイヤ選択手段により選択されたレイヤに属する所定のMチャンネルを最大数とするチャンネルがそれぞれ割り当てられるチャンネルストリップであって、かつ、該チャンネルストリップ毎に少なくとも選択操作子とレベル操作子とを備えたM個のチャンネルストリップと、
前記チャンネルストリップの前記レベル操作子の操作に応じて、当該チャンネルストリップに割り当てられたチャンネルの入力チャンネル信号処理手段における信号処理のレベル特性を制御するレベル制御手段と、
前記チャンネルストリップの前記選択操作子の操作に応じて、当該チャンネルストリップに割り当てられたチャンネルを編集チャンネルとして選択するチャンネル選択手段と、
該チャンネル選択手段により選択されたチャンネルの履歴を保持するチャンネル履歴保持手段と、
チャンネル履歴読出操作に応じて、前記チャンネル履歴保持手段に保持されたチャンネルの履歴を順次読み出し、編集チャンネルとして選択するチャンネル履歴読出手段と、
前記編集チャンネルとして選択されたチャンネルを表示する編集チャンネル表示手段と、
編集操作に応じて、前記編集チャンネルとして選択されたチャンネルの入力チャンネル信号処理手段の信号処理特性を制御する選択チャンネル制御手段
を有することを特徴とするディジタルミキサ装置。
【請求項２】
前記レイヤ選択手段により選択されているレイヤを表示する選択レイヤ表示手段と、
前記編集チャンネルとして選択されたチャンネルが前記M個のチャンネルストリップのいずれかに割り当てられている場合、当該チャンネルの割り当てられたチャンネルストリップを示す表示を行なう選択チャンネルストリップ表示手段と、
レイヤ連動モードとレイヤ非連動モードのいずれか一方を指定するモード指定手段と、
レイヤ連動モードが指定されている場合、前記チャンネル履歴読出手段によりいずれかのチャンネルが編集チャンネルとして選択されたときに、前記レイヤ選択手段は、当該選択されたチャンネルを含むレイヤを選択し、
レイヤ非連動モードが指定されている場合、前記チャンネル履歴読出手段によりいずれのチャンネルが編集チャンネルとして選択されても、前記レイヤ選択手段は、現に選択されているレイヤを保持するよう制御する、
レイヤ連動手段
を有することを特徴とする請求項１に記載のディジタルミキサ装置。
【発明の詳細な説明】
【技術分野】
【０００１】
本発明は、チャンネル選択機能を有するディジタルミキサに関するものである。
【背景技術】
【０００２】
複数チャンネルのオーディオ信号を、それぞれ複数チャンネルの入力チャンネル信号処理部に入力し、各入力チャンネル信号処理部の信号をディジタルミキシング（混合）して複数チャンネルの出力チャンネル信号処理部を経て出力するオーディオ・ディジタルミキサが知られている。
そのディジタルミキシングに際し、各入力チャンネル信号処理部およびまたは各出力チャンネル信号処理部において、信号処理特性を制御するために、信号処理のパラメータを制御することが行われている。
【０００３】
ユーザは、表示器に、ある信号処理の編集画面を呼び出してパラメータを編集する。その際、編集画面において、ある特定のチャンネルが編集チャンネルとされ、その編集チャンネルの複数のパラメータが表示される。
ユーザは、コントロールパネル（制御パネル）上に設けられたセレクトスイッチを操作することにより、この編集チャンネルを変更することができ、さらに数値設定操作子を操作することにより、この編集チャンネルのパラメータ値を変更できる。
【０００４】
また、編集画面において、ある特定のパラメータに関し、複数のチャンネルのそれぞれにおける値が表示される場合がある。
その中で、ある１つの特定のチャンネルにおける値の表示には、カーソルも表示される。この特定チャンネルが編集チャンネルとなる。
ユーザは、上述したセレクトスイッチを操作することにより、上述したカーソルを、別のチャンネルにおける値に移動させることにより、編集チャンネルを変更することができ、さらに数値設定操作子を操作することにより、その編集チャンネルのパラメータ値を変更できる。
【０００５】
一方、コントロールパネル上に、セレクテッドチャンネルセクション（選択チャンネル制御部）が設けられている場合がある。
このセレクテッドチャンネルセクションに配置された操作子を操作することにより、その操作子に対応したパラメータの値を変更することができる。ここで、上述したセレクテッドチャンネルセクションがパラメータの値を変更する対象としている編集チャンネルは、上述したセレクトスイッチにより指定することができる。
【０００６】
コントロールパネルには、また、複数のチャンネルストリップが配置されている。各チャンネルストリップには、フェーダや回転操作子などの他に、上述したセレクトスイッチ（SEL）が設けられている。
上述したチャンネルストリップは、チャンネルと１対１対応する場合もあるが、通常は、チャンネルストリップの数（M個）よりも多いNチャンネルの信号を処理操作できるように、コントロールパネルには、レイヤを選択するスイッチが設けられ、選択されているレイヤに応じて、各チャンネルストリップに割り当てるチャンネルが変更される。
【０００７】
上述したディジタルミキサにおいて、パラメータの設定を行っているときには、一部の複数チャンネルに集中して、イコライザ、コンプレッサなど、種々の信号処理特性のパラメータを順次、調整して行く場合がある。
その場合、調整するパラメータを切り替える度に、編集チャンネルを、上述した複数チャンネル中の、他のチャンネルに切り替える操作を、何度も繰り返さなければならないので、操作が煩雑になっていた。
特に、チャンネルストリップの数やレイヤの数が多いディジタルミキサでは、所望のチャンネルを選択するセレクタスイッチを見つけ出すまでに時間がかかり、操作性が悪かった。
【特許文献１】「DM2000取扱説明書」、［online］、ヤマハ株式会社、インターネット＜URL：http://www2.yamaha.co.jp/manual/pdf/pa/japan/mixers/DM2000J.pdf＞
【発明の開示】
【発明が解決しようとする課題】
【０００８】
本発明は、上述した問題点を解決するためになされたもので、複数のレイヤにまたがることのある選択チャンネルの履歴を簡単な操作で読み出し、読み出されたチャンネルを編集チャンネルとして、その入力チャンネル信号処理手段の信号処理特性を制御するディジタルミキサ装置を提供することを目的とするものである。
本発明は、加えて、選択チャンネルの履歴の読み出しに連動して、現在のレイヤを、読み出されたチャンネルの属しているレイヤに切り替えるか否かを選択できる、ディジタルミキサ装置を提供することを目的とするものである。
【課題を解決するための手段】
【０００９】
本発明は、請求項１に記載の発明においては、ディジタルミキサ装置において、Nチャンネルの入力チャンネル信号処理手段の各出力をミキシングして出力するディジタルミキサ装置であって、当該ディジタルミキサ装置では、前記Nチャンネルよりも少ない所定のMチャンネルを最大数とするチャンネルがそれぞれ属する複数のレイヤが規定されており、前記複数のレイヤのうちの１つのレイヤを選択するレイヤ選択手段と、該レイヤ選択手段により選択されたレイヤに属する所定のMチャンネルを最大数とするチャンネルがそれぞれ割り当てられるチャンネルストリップであって、かつ、該チャンネルストリップ毎に少なくとも選択操作子とレベル操作子とを備えたM個のチャンネルストリップと、前記チャンネルストリップの前記レベル操作子の操作に応じて、当該チャンネルストリップに割り当てられたチャンネルの入力チャンネル信号処理手段における信号処理のレベル特性を制御するレベル制御手段と、前記チャンネルストリップの前記選択操作子の操作に応じて、当該チャンネルストリップに割り当てられたチャンネルを編集チャンネルとして選択するチャンネル選択手段と、該チャンネル選択手段により選択されたチャンネルの履歴を保持するチャンネル履歴保持手段と、チャンネル履歴読出操作に応じて、前記チャンネル履歴保持手段に保持されたチャンネルの履歴を順次読み出し、編集チャンネルとして選択するチャンネル履歴読出手段と、前記編集チャンネルとして選択されたチャンネルを表示する編集チャンネル表示手段と、編集操作に応じて、前記編集チャンネルとして選択されたチャンネルの入力チャンネル信号処理手段の信号処理特性を編集する選択チャンネル制御手段を有するものである。
従って、過去において、レイヤ選択手段によりレイヤを選択した状態で、各チャンネルストリップ毎に設けられた選択操作子の１つを操作することにより編集チャンネルとして選択したチャンネルを、チャンネル履歴読出操作というワンタッチ操作で読み出すことができる。編集チャンネルは、現在のレイヤとは異なるレイヤに属していても構わない。
ここで、レイヤの数を最小の２としてレイヤを切り替えるとき、前記Nチャンネルのうち、少なくとも１つを第２のレイヤに配分することになる。この場合、第１のレイヤには、チャンネルの総数よりも少ない、最大M＝N−1のチャンネルが属することになり、その数Mだけ、チャンネルストリップを設ける。
どのレイヤにも同数のチャンネルが属するようにする必要はない。また、チャンネルによっては、複数のレイヤに重複して属するようにしたり、いずれのレイヤにも属さないものがあったりしてもよい。
【００１０】
請求項２に記載の発明においては、請求項１に記載のディジタルミキサ装置において、前記レイヤ選択手段により選択されているレイヤを表示する選択レイヤ表示手段と、前記編集チャンネルとして選択されたチャンネルが前記M個のチャンネルストリップのいずれかに割り当てられている場合、当該チャンネルの割り当てられたチャンネルストリップを示す表示を行なう選択チャンネルストリップ表示手段と、レイヤ連動モードとレイヤ非連動モードのいずれか一方を指定するモード指定手段と、レイヤ連動モードが指定されている場合、前記チャンネル履歴読出手段によりいずれかのチャンネルが編集チャンネルとして選択されたときに、前記レイヤ選択手段は、当該選択されたチャンネルを含むレイヤを選択し、レイヤ非連動モードが指定されている場合、前記チャンネル履歴読出手段によりいずれのチャンネルが編集チャンネルとして選択されても、前記レイヤ選択手段は、現に選択されているレイヤを保持するよう制御する、レイヤ連動手段を有するものである。
従って、レイヤ連動モードでは、チャンネル履歴読出操作で選択されたチャンネルを編集チャンネルとしていたときと同じレイヤが連動して選択され、各チャンネルストリップへのチャンネルの割り当て状態が再現される。
その結果、選択されたチャンネルが割り当てられたチャンネルストリップを示す表示がなされるとともに、このチャンネルストリップ上の、選択操作子とレベル操作子を直ちに操作することができる。
一方、レイヤ非連動モードでは、チャンネル履歴読出操作をしても、現に選択されているレイヤを保持するので、各チャンネルストリップへのチャンネルの割り当て状態は現在のままである。
その結果、選択されたチャンネルが現在のレイヤに属する場合にのみ、選択されたチャンネルが割り当てられたチャンネルストリップを示す表示がなされるとともに、チャンネル履歴読出操作がなされる前と同じチャンネル割り当てがなされたチャンネルストリップ上の選択操作子，レベル操作子を操作できる。
【発明の効果】
【００１１】
本発明によれば、既に実行した過去何回かの選択チャンネル履歴を読み出して、読み出されたチャンネルを編集チャンネルとして、その入力チャンネル信号処理手段の信号処理特性を制御することができるという効果がある。
その結果、特定の複数チャンネルに集中して、その入力チャンネル信号処理手段のある１つの信号処理特性を制御する場合に、編集チャンネルを切り替える毎に、レイヤ選択およびチャンネルストリップ選択操作を繰り返し行う必要がない。チャンネル履歴読出操作をするだけで、簡単に編集チャンネルを切り替えることができる。
従って、特定の複数チャンネルに集中して同じパラメータの値の調整を行う場合に、レイヤやチャンネルストリップが点在する複数のチャンネルにすばやくアクセスするのに便利である。
【００１２】
さらに、そのチャンネル履歴読出操作によるチャンネル選択に連動して、選択されたチャンネルが属するレイヤを、連動して選択するか否かを選択できる。
レイヤ連動モードにおいては、チャンネル履歴読出操作により選択されたチャンネルを、チャンネルストリップの操作子で直ちに制御操作することができる。
一方、レイヤ非連動モードにおいては、チャンネル履歴読出操作によりどのチャンネルが選択されたかに関わらず、それまでチャンネルストリップ上の操作子で制御操作していたチャンネルを継続して制御操作することができる。
【発明を実施するための最良の形態】
【００１３】
図１は、本発明の実施の一形態を実現するコントロールパネルの一例を示す説明図である。本発明に関係しない操作子は省略している。
このコントロールパネルは、複数チャンネルの入力チャンネル信号処理部の各出力信号をミキシンングして出力するとともに、あるチャンネルを編集チャンネルとして選択し、選択されたチャンネルの信号処理部（入力チャンネル信号処理部または出力チャンネル信号処理部）における、信号処理特性を制御するディジタルミキサ装置である。
図中、１はディスプレイアクセス部であり、表示器（ディスプレイ）２に表示する、パラメータ編集等のページを指定する複数のスイッチが配列されている。
３1，３2，３3，…，３34は、複数のチャンネルストリップである。各チャンネルストリップは、このチャンネルストリップに割り当てられたチャンネルの処理を行う操作子モジュールである。
この実施の形態では、複数のチャンネルはチャンネルストリップの数（M個）ずつ複数のレイヤに配分されている。各チャンネルストリップ３1〜３24には、選択されているレイヤに属する複数のチャンネルの１つが、それぞれ割り当てられる。
レイヤセクション４にあるレイヤ選択スイッチ４ａ〜４ｅの１つを操作することにより、対応するレイヤが選択される。
レイヤ選択スイッチ４ａ〜４ｅは、自照式であり、対応するレイヤが選択状態になっているレイヤ選択スイッチは点灯し、その他の選択されていないレイヤのレイヤ選択スイッチは消灯する。
【００１４】
「マスタ」レイヤに第1〜第24出力チャンネルが含まれ、「レイヤ１」に第1〜第24入力チャンネルが含まれ、「レイヤ２」に第25〜第48入力チャンネルが含まれ、「レイヤ３」に第49〜第72入力チャンネルが含まれ、「レイヤ４」に第73〜第96チャンネルが含まれる。
従って、「レイヤ１」が選択されているとき、チャンネルストリップ（1）〜（24）には、それぞれ、第1〜第24入力チャンネルが割り当てられるから、チャンネルストリップ３1〜３24上の操作子は、それぞれ、第1〜第24入力チャンネルの入力チャンネル信号処理手段の操作を行うものとなる。例えば、チャンネルストリップ（1）は、第1出力チャンネル，第1入力チャンネル，第25入力チャンネル，第49入力チャンネル，第73入力チャンネルが割り当てられる。
【００１５】
各チャンネルストリップ３1〜３24内の操作子は、全てのチャンネルストリップに共通に備わったものである。
３ａ1〜３ａ24は、他の操作子により任意のパラメータが指定されて、各チャンネルストリップ３1〜３24に割り当てられたチャンネルの、その指定されたパラメータ値を調整する回転型操作子である。
３ｂ1〜３ｂ24は、各チャンネルストリップ３1〜３24に割り当てられたチャンネルを、編集対象のチャンネルとして選択するセレクトスイッチである。
【００１６】
図示の例では、各チャンネルストリップ３1〜３24に割り当てられるチャンネルは、選択されているレイヤに応じて変化する。
セレクトスイッチ３ｂ1〜３ｂ24は、その選択されたレイヤでそのチャンネルストリップ３1〜３24に割り当てられているチャンネルを編集チャンネルとして選択するものである。
言い換えれば、編集チャンネルの選択は、上述したレイヤ選択スイッチ４ａ〜４ｅにより選択されているレイヤに属する複数のチャンネルの中から、セレクトスイッチ３ｂ1〜３ｂ24により、チャンネルストリップ３1〜３24に割り当てられたチャンネルを選択することにより行う。
前記編集チャンネルとして選択されたチャンネルの入力チャンネル信号処理部の信号処理特性は、例えば、表示器２に表示された編集画面上で制御される。または、セレクテッドチャンネルセクションの操作子を操作することにより制御される。
【００１７】
セレクトスイッチ３ｂ1〜３ｂ24は、自照式であり、対応するチャンネルストリップに割り当てられたチャンネルが選択状態になっているセレクトスイッチは点灯し、対応するチャンネルストリップに割り当てられたチャンネルが選択されていない、その他のセレクトスイッチは消灯する。
表示器２に表示される編集画面にチャンネル番号表示部２ａがある場合は、編集チャンネルとして選択されたチャンネルが表示される。
３ｃ1〜３ｃ24は、チャンネル・オン・スイッチである。各チャンネルストリップ３1〜３24に割り当てられたチャンネルの信号処理部における出力信号のオン/オフを制御する。
３d1〜３d24は電動フェーダ、３e1〜３e24はその摘みであり、各チャンネルストリップ３1〜３24に割り当てられているチャンネルのゲインを制御する。
【００１８】
５はセレクテッドチャンネルセクション（選択チャンネル制御部）である。レイヤ選択スイッチ４ａ〜４ｅでレイヤを先に選択しておき、セレクトスイッチ３ｂ1〜３ｂ24の１つを選択することにより、所望のチャンネルを編集チャンネルとして選択することができる。なお、現在選択されているレイヤに属するチャンネルを選択したい場合は、セレクトスイッチ３ｂ1〜３ｂ24の１つを操作するだけでよい。
編集チャンネルとして選択されたチャンネルのパラメータの値や操作のオンオフ等を、セレクテッドチャンネルセクション５内にある各種操作子で制御する。
また、チャンネル番号表示部５ａがある場合は、選択されたチャンネルの種類や番号が表示される。
【００１９】
６は履歴読出スイッチ（SEL History）である。ディジタルミキサは、レイヤスイッチ４ａ〜４ｅと、セレクトスイッチ３ｂ1〜３ｂ24により選択されたチャンネル（選択チャンネル）の履歴テーブルを保持する記憶装置を備えている。
履歴読出スイッチ６を押すたびにチャンネル履歴の読み出しが行われる。この読み出しにより、上述したレイヤスイッチ４ａ〜４ｅにより選択されているレイヤにおけるセレクトスイッチ３ｂ1〜３ｂ24によるチャンネル選択に代わって、チャンネルを直接に選択して編集チャンネルとする。
【００２０】
ここで、図２を参照し、チャンネル履歴の書き込み動作と、読み出し動作について説明しておく。
図２は、本発明の実施の一形態における、履歴書込動作と履歴読出動作の具体例の説明図である。
図２（ａ）は履歴テーブルである。
図示の履歴テーブルでは、履歴サイズHSに応じて、（HS−1）操作前まで遡って選択チャンネルを保持可能である。ただし、上限を7としている。履歴サイズHSは、ユーザにより設定変更が可能である。図２（ｂ）〜図２（ｄ）では、HS＝5の場合を図示している。
この具体例では、履歴テーブルをリングメモリ式に制御する。履歴サイズHSに応じた範囲内のレジスタj＝0〜j＝HSに、それぞれSCH（j）として記憶された選択チャンネルの履歴が循環的に利用される。
この履歴テーブルへの書き込みと読み出しの具体的な計算については、図６（ｂ），（ｃ）のフローチャートを参照して後述する。
【００２１】
図２（ｂ）に示すように、セレクトスイッチ３ｂ1〜３ｂ24が操作される毎に、書き込みポインタ（jをポインタとして使う）を＋1歩進させて選択チャンネルを書き込む。
現在はj＝2であるとして、あるセレクトスイッチが操作されたときには、j＝3となり、選択チャンネルがSCH（3）として書き込まれる。さらにセレクトスイッチが操作されたときには、j＝4となり、選択チャンネルがSCH（4）として書き込まれる。
なお、選択チャンネルが切り替わらない場合、例えば、レイヤが切り替えられていない状態で同じセレクトスイッチが続けて操作されたような場合には、書き込みを禁止して履歴を更新しないようにしてもよい。
【００２２】
また、図２（ｂ）に示すように、履歴読出スイッチ６を押す操作をする毎に、読み出しポインタを−1歩進させることにより、選択チャンネルを１操作ずつ過去に遡って読み出す。
現在がj＝2であるとして、履歴読出スイッチ６が１回押されたときは、j＝1となり、SCH（1）として記憶されていたチャンネルが読み出されて選択チャンネルとなる。次に履歴読出スイッチ６が１回押されたときは、j＝0となり、SCH（0）として記憶されていたチャンネルが編集チャンネルとして読み出される。
【００２３】
上述した説明では、履歴テーブルに、選択チャンネルの情報を保持していたが、これに代えて、選択されたレイヤの情報と選択されたチャンネルストリップの情報とを保持してもよい。両者により１つのチャンネルを特定できる。また、両者は必ずしもペアで記録する必要はなく、レイヤを選択する操作の履歴とチャンネルストリップを選択する操作の履歴とがわかるようになっていればよい。
上述したように、履歴テーブルには、選択チャンネルの情報のみ、または、実質的に選択チャンネルの情報といえる、選択レイヤと選択チャンネルストリップの両者の情報のみを保持している。表示器２に表示される編集画面ページの内容、そのページにおけるパラメータ編集、コントロールパネル上のその他の操作子で行なわれた操作などの選択チャンネルに関係しない履歴は保持しない。
【００２４】
従って、特定の複数のチャンネルを編集対象とし、集中して入力チャンネル信号処理手段の種々の特性制御を行いたい場合には、ある１つの特性制御について、その複数の編集チャンネルを切り替えて行えば、履歴テーブルに記憶される。
その後、編集画面を切り替えたり、セレクテッドチャンネルセクション５で操作する操作子を変えた上で、履歴読出スイッチ６を繰り返し操作すれば、その複数のチャンネルが循環的に読み出されて編集チャンネルとなる。その間、表示器２に表示される同じパラメータ編集ページやセレクテッドチャンネルセクション５の同じ操作子で、同じ特性制御が行われる。
その結果、複数の編集チャンネルの入力チャンネル信号処理手段の種々の特性制御を効率的に行うことができる。
【００２５】
なお、履歴読出スイッチ６により、チャンネルが順次読み出されて行くとき、表示器２に表示されるチャンネル番号表示部２ａ，セレクテッドチャンネルセクション５に表示されるチャンネル番号表示部５ａも、これに従って変更される。
選択されたチャンネルは、チャンネル番号表示部２ａ，５ａの両方に表示される必要はなく、いずれか一方に表示されるだけで充分である。
また、履歴読出スイッチ６によりチャンネルが選択されたとき、その選択されたチャンネルを含むレイヤが選択されていれば、通常のチャンネル選択操作時と同様に、選択されたチャンネルの割り当てられたチャンネルストリップ３1〜３24に対応させていたセレクトスイッチ３ｂ1〜３ｂ24が点灯するので、それを見て選択されたチャンネルを確認することもできる。
ここで、履歴読出スイッチ６によるチャンネルの選択に応じて、その選択されたチャンネルに連動してレイヤの選択状態を変更すべきか否かは、その時々の状況に応じて異なる。
【００２６】
この実施の形態では、レイヤ連動モードとレイヤ非連動モードを設け、ユーザの操作により、一方を選択できるようにした。
レイヤ連動モードの設定状態においては、履歴読出スイッチ６の操作によりチャンネルが選択されたときは、このチャンネルが属しているレイヤが連動して選択され、当該レイヤに含まれる複数のチャンネルがチャンネルストリップ３1〜３24に割り当てられる。
例えば、図２（ｃ）に示すように、履歴読出スイッチ６操作により、選択チャンネルが、現在の第26入力chから、第3入力ch、第1入力ch、第24入力ch、第50入力chと変更されるものとする。その際、この選択チャンネルの変更に連動して、選択レイヤは、現在のレイヤ２から、レイヤ１、レイヤ１、レイヤ１、レイヤ３と変更され、その選択されたレイヤに対応するレイヤ選択スイッチ４ａ〜４ｅが点灯する。
その結果、図２（ｄ）に示すように、チャンネルストリップ３1〜３24に割り当てられるチャンネルは、現在の第25〜第48入力chから、第1〜第24入力ch、第1〜第24入力ch、第1〜第24入力ch、第49〜第72入力chと変更される。従って、セレクトスイッチ３ｂ1〜３ｂ24の操作により選択されるチャンネルも、同様に変更される。
【００２７】
一方、レイヤ非連動モードの設定状態においては、履歴読出スイッチの操作により選択チャンネルが変更されたとしても、その選択されたチャンネルを含むレイヤは選択されず、履歴読出スイッチが操作される前に選択されているレイヤを維持する。
その結果、レイヤ選択スイッチ４ａ〜４ｅの点灯状態は変化しない。チャンネルストリップ３1〜３24には、現在の選択レイヤのチャンネルが継続して割り当てられている。
例えば、図２（ｃ）に示すように、履歴スイッチ６の操作により選択チャンネルが、現在の第26入力chから、第3入力ch、第1入力ch、第24入力ch、第50入力chと変更されたとしても、選択レイヤは現在のレイヤ２から変更されず、チャンネルストリップ３1〜３24には現在の第25〜第48入力chが継続的に割り当てられる。
【００２８】
従って、チャンネル履歴を読み出して編集チャンネルを選択するとき、レイヤ連動モードにおいては、通常のチャンネル選択操作時と同様に、レイヤ選択スイッチ４ａ〜４ｅの点灯状態とセレクトスイッチ３ｂ1〜３ｂ24の点灯状態とにより、編集チャンネルとして選択されたチャンネルを認識できる。
一方、レイヤ非連動モードでは、チャンネル履歴に基づいて選択されたチャンネルが、必ずしも現在選択されているレイヤに含まれているとは限らない。
従って、チャンネル履歴に基づいて選択されたチャンネルが現在選択されているレイヤに含まれる場合のみ、その選択されたチャンネルを、該チャンネルに対応したチャンネルストリップ３1〜３24のセレクトスイッチ３ｂ1〜３ｂ24の点灯状態により認識できる。
それ以外のレイヤに含まれる場合は、全チャンネルストリップ３1〜３24のセレクトスイッチ３ｂ1〜３ｂ24が消灯し、該セレクトスイッチの点灯状態から選択チャンネルを認識することはできない。
【００２９】
７ａ〜７ｄはカーソルキーである。表示器２に表示されるボタン型操作子、数値入力ボックス、つまみ型操作子、フェーダ型操作子等を選択指示するために用いるポインティングデバイスである。これらとともに、あるいはこれに代えて、タッチパッドやマウスを用いることもできる。
DEC（デクリメント）スイッチ８，INC（インクリメント）スイッチ９は、カーソルキー７ａ〜７ｄで指示されたボタン型操作子をオンオフしたり指示されたフェーダ型操作子等の操作量を変化させて、対応するパラメータ値などの数値を増減させたり、操作をキャンセルしたり、OKしたりするために用いられる。
１０はロータリーエンコーダ（パラメータホイール）であって、同様に、指定されたボタン型操作子やフェーダ型操作子等を変化させて、対応するパラメータ値などの数値を増減させる。ENTERスイッチ１１は、DECスイッチ８、INCスイッチ９、ロータリーエンコーダ１０等で増減された数値が確定入力を必要とする数値である場合に、その確定を行なうためのスイッチである。
【００３０】
図３は、本発明の実施の一形態におけるチャンネル選択操作の具体例を示す説明図である。
図３（a）は、図１に示したディスプレイアクセス部１のスイッチの操作に応じて表示器２に表示されるGUI(Grahpical User Interface)編集画面の一例（画面２１）である。表示器２には、これ以外にも図４に示される信号処理の種々のブロックを制御する種々のGUI編集画面を表示することができる。
「ダイナミクス」という名の編集画面であって、所定音量レベル以下の信号をカットする「ゲート」タイプにおける複数のパラメータの値を制御する。図１に示したカーソルキー７ａ〜７ｄを操作すると、カーソル２１が各パラメータのつまみ型操作子またはボタン型操作子を順次移動して行き、パラメータを選択する。そこで、ロータリーエンコーダ１０、または、DECスイッチ８，INCスイッチ９で選択されたパラメータの値を調整する。なお、カーソル２１により選択されるパラメータの中には、ENTERスイッチ１１により値が確定されるまで調整した値が有効にならないパラメータもある。
この編集画面２１を表示しているときに、セレクトスイッチ３ｂ1〜３ｂ24の１つを操作することにより編集チャンネルが変更されると、変更された編集チャンネルについての同じパラメータ値の編集画面に切り替わる。選択された編集チャンネルは、チャンネル番号表示部２１a（図１の２aに相当）のほか、各所２２ｂ、２２ｃに表示される。
【００３１】
図３（ｂ）は、図１に示したセレクテッドチャンネルセクション５の一具体例の説明図である。パンおよびパラメトリックイコライザの編集をする例である。
５ａはチャンネル番号表示部、５ｂはステレオチャンネルの定位を決めるパラメータを調整する操作子、５ｃ，５ｄ，５ｅは、パラメトリックイコライザのＱ，中心周波数，利得のパラメータを調整する操作子、５ｆ〜５ｉは、調整対象の４バンドの１つを選択する操作子である。操作子を操作すると、表示器２の表示画面上に、対応するパラメータの値がポップアップ表示される。
このセレクテッドチャンネルセクション５で制御する対象となる編集チャンネルも、セレクトスイッチ３ｂ1〜３ｂ24の中の１つの操作により選択される。
【００３２】
図４は、図１に示した実施の一形態を実現するディジタルミキサ装置における信号処理の解説図である。
図４（a）は、その全体図であり、この信号処理は、図５を参照して後述するDSP６９および波形I/O６８によって行なわれる。
図中、３１はアナログ信号入力部であり、入力端子からアナログ信号を入力し、A/D変換して出力する。３２はディジタル信号入力部であり、入力端子からディジタル信号を入力して出力する。アナログ入力部１，ディジタル入力部２は、それぞれ、複数ブロックあり、各出力は入力パッチ部３３に入力される。入力パッチ部３３は、パッチ制御部４５により制御されて、複数の入力部の１つを、各入力チャンネル信号処理部３４（96チャンネル）の入力に選択的に入力する。
【００３３】
各入力チャンネル信号処理部３４は、入力した信号の特性を制御して、出力信号を選択的に複数（24本）のミックスバス３５の少なくとも１つに出力する。このミックスバス５において信号が混合される。
各ミックスバス３５の信号は、ミックスバス３５に１対１対応する複数（24チャンネル）の出力チャンネル信号処理部３７に入力される。この出力チャンネル信号処理部３７において、ミックスバス３５から入力した混合信号の特性を制御して、出力パッチ３８に出力する。
【００３４】
出力パッチ３８は、各出力チャンネル信号処理部３７の出力を、パッチ制御部４５により、複数のアナログ信号出力部３９および複数のディジタル信号出力部４０に選択的に結線する。
アナログ出力部３９は、ディジタル信号をアナログ信号に変換した上で出力端子に出力する。ディジタル出力部４０は、ディジタル信号のまま出力端子に出力する。
各出力チャンネル信号処理部３７の１つのチャンネルは、複数のアナログ出力部３９または複数のディジタル出力部４０に出力可能である。
【００３５】
図４（ｂ）は、１つの入力チャンネル信号処理部で行なわれる信号処理の構成の概要を示す説明図である。
アッテネータ５１、パラメトリックイコライザ５２、コンプレッサ５３、フェーダ５４、および、chオンスイッチ、各バス（ミックスバス以外は図示を省略した）への出力レベルを調整するセンドレベル調整部を含むブロック５５、等を備える。
なお、出力チャンネル信号処理部３７もまた、図４（ｂ）に示したような内部構成になっている。ただし、アッテネータ５１はなく、ブロック５５内にセンドレベル調整はない。
【００３６】
入力チャンネル信号処理部に入力した信号は、まず、アッテネータ５１でその後段の信号処理に適したレベルに調整され、次に、パラメトリックイコライザ５２で周波数特性が制御される。続いて、コンプレッサ５３で、その変動する信号レベルに応じてダイナミックにレベル制御され、さらに、フェーダ５４でミキシングのためのレベル制御が行なわれる。そして、ブロック５５において、ｃｈオンスイッチにより当該チャンネルの信号のオンオフが制御され、さらに、センド調整部で各バスへの送り出しのオンオフや送り出しレベルが調整される。
チャンネルストリップ３1〜３24の電動フェーダ３ｄ1〜３ｄ24は、入力チャンネル信号処理部２４あるいは出力チャンネル信号処理部３７のフェーダ５４を制御するものである。例えば、レイヤ２が選択されているとき、第29入力chが割り当てられたチャンネルストリップの電動フェーダ３ｄ5のつまみ３e5を操作すると、第29入力chのフェーダ54のレベル制御におけるゲインが制御される。
【００３７】
図３（a）の編集画面２１は、入力チャンネル信号処理部２４ないし出力チャンネル信号処理部３７のコンプレッサ４３を制御するものである。コンプレッサ４３は、信号レベルが設定した閾値以下であるときに信号をオフするゲート部と、信号レベルが設定した閾値以上であるとき、その信号のレベルを抑えるコンプレッサ部とにより構成され、編集画面２１ではその編集対象をゲート部とコンプレッサ部のいずれにするかを、画面下部のタブにより選択できるようになっている。
例えば、図３（a）では第48入力chのコンプレッサ部が選択されており、画面上のつまみ型操作子を操作してパラメータ値を調整することにより、第48入力チャンネル信号処理部のコンプレッサ４３内のゲート部の信号処理特性が制御される。
図３（ｂ）に示したセレクテッドチャンネルセクション５は、現在の編集チャンネルの入力チャンネル信号処理部から、ペア化されている２本のミックスバス３５に信号を送出する場合に、センドレベル調整部（ブロック５５内）における左右の定位（パン）特性と、同チャンネルの入力チャンネル信号処理部の４バンドパラメトリックイコライザ５２の周波数特性とを制御する。
【００３８】
図５は、図１に示した実施の一形態を実現するハードウェア構成の一例を示すブロック構成図である。
図中、６１はバス、６２はCPU（Central Processing Unit）である。６３はフラッシュメモリであり、制御プログラムやプリセットデータが書換え可能に記憶されている。RAM（Random Access Memory）６４に制御プログラムをロードしてから実行するようにしてもよい。
CPU６２が、制御プログラムを実行することにより、図１，図２に示した選択チャンネルの履歴書込と履歴読出の機能を実現するとともに、ディジタルミキサの装置全体を制御する。RAM６４のワーキングメモリ領域には、図４に示される信号処理の各ブロックの信号処理特性を制御するパラメータの現在値を記憶するカレントメモリ領域が含まれる。
【００３９】
６５は表示器であって、図１に示した表示器２の他、セレクトスイッチ３ｂ1〜３ｂ24、レイヤ選択スイッチ４ａ〜４ｅ、チャンネル番号表示部５ａ等、各種スイッチに設けられた発光ダイオードを含む。
６６は電動フェーダであって、図１に示した電動フェーダ３ｄ1〜３ｄ24に対応する。６７はその他の操作子である。
【００４０】
６８は波形入出力インターフェース部であって、外部から入力されるアナログ信号をA/D変換して、或いは外部から入力されるディジタル信号を信号処理部６９に送るとともに、信号処理部６９から受け取ったディジタル信号を、ディジタル信号のまま、或いはD/A変換して外部に出力する。この波形入出力インターフェース部は、図４に示した複数のアナログ信号入力部３１、複数のディジタル信号入力部３２、複数のアナログ信号出力部３９、複数のディジタル信号出力部４０で示される機能を実現する。
６９はディジタル信号処理部DSP（Digital Signal Processor）であって、波形入出力インターフェース部６８から入力するディジタル信号に対し、CPU６２から供給されるマイクロプログラムに基づく信号処理を施し、信号処理されたディジタル信号を波形入出力インターフェース部６８に出力する。このDSP６９は、図４に示した入力パッチ部３３，入力チャンネル信号処理部３４，ミックスバス３５，出力チャンネル信号処理部３７，出力パッチ部３８等で表される信号処理の機能を実現する。
７０は、その他の入出力インタフェース部であって、例えば、外部接続されたパーソナルコンピュータをコントロール部とし、パーソナルコンピュータ側でも、図示の本体側とほぼ同様な設定操作を可能とする。
【００４１】
図６は、図１に示した実施の一形態の動作例を説明するフローチャートである。
図５に示したCPU６２が制御プログラムに従い、カレントメモリに対する設定動作と、設定値のディジタル信号処理部６９への転送動作を行い、ディジタル信号処理部６９は、設定値に従って信号の特性制御および混合処理を行う。
上述した制御プログラムは、電源投入後、初期設定を行う。「画面制御タスク」、「パネル操作子制御タスク」、「メモリ制御タスク」、「DSP制御タスク」、「その他の制御タスク」が実行される。各タスクは、それぞれ、各種のイベントにより駆動される。
【００４２】
図６（ａ）は、レイヤ選択スイッチの操作イベント処理である。
レイヤ選択スイッチ（図１の４ａ〜４ｅ）のいずれかが操作されたことを検出して実行される。検出されたレイヤ選択スイッチに割り当てられたレイヤ番号をkとする。
Ｓ８１において、上述したレイヤ番号kをLNレジスタに記憶する。LNレジスタに記憶された現在の選択レイヤ番号をLNとする。
Ｓ８２において、現在の選択レイヤ番号LNに対応するレイヤ選択スイッチ、すなわち、操作されたレイヤ選択スイッチのみを点灯させる。
【００４３】
Ｓ８３において、現在の選択レイヤ番号LNのレイヤに含まれる各チャンネルのフェーダレベルに合致するように、各チャンネルが割り当てられたチャンネルストリップ３1〜３24上の電動フェーダの摘み３e1〜３e24をモータ駆動する。
Ｓ８４において、現在の選択レイヤ番号LNのレイヤに含まれる各チャンネルの中に、選択チャンネル（現在の選択チャンネル番号SC）があれば、その選択チャンネルが割り当てられているチャンネルストリップ上のセレクトスイッチ３ｂ1〜３ｂ24のみを点灯させる。
【００４４】
図６（ｂ）は、セレクトスイッチ３ｂ1〜３ｂ24の操作イベント処理である。
セレクトスイッチ３ｂ1〜３ｂ24の１つが操作されたことを検出して実行される。検出されたセレクトスイッチに割り当てられたチャンネルストリップ番号をiとする。
Ｓ９１において、LNレジスタに記憶された現在の選択レイヤ番号LNとチャンネルストリップ番号iとに応じて決定されるチャンネル番号CH（LN，i）をcレジスタに記憶する。一方、SCレジスタには、現在の選択チャンネル番号SCが記憶されているものとする。
Ｓ９２において、セレクトスイッチ３ｂ1〜３ｂ24の操作によって選択されたチャンネルを示すcレジスタに記憶された値cと、SCレジスタに記憶された現在の選択チャンネル番号SCとが一致していれば、処理を終了する。
【００４５】
一致していなければ、Ｓ９３に処理を進め、新しい選択チャンネルcを現在の選択チャンネル番号SCとしてSCレジスタに記憶する。
Ｓ９４において、現在の選択チャンネル番号SCに対応するセレクトスイッチ（すなわち、操作されたセレクトスイッチ）を点灯し、他のセレクトスイッチを消灯する。
次に、図２（ａ）に示した履歴テーブルの保持内容を更新する。jは履歴レジスタの１つを特定するポインタであった。履歴サイズHSは履歴を保存する数を示すもので、HS＝1に設定された場合は履歴なしを意味する。
【００４６】
Ｓ９５において、モジュロ計算により、レジスタjの番号が＋1される。ただし、＋1されてHSの値になると0に戻るので、レジスタjの番号は循環的に＋１歩進することになる。
Ｓ９６において、SCレジスタに記憶された現在のチャンネルの番号を履歴テーブルのレジスタjに、SCH（j）として記憶する。Ｓ９５において、jは＋１歩進されていたから、セレクトスイッチ３ｂ1〜３ｂ24の１つが選択操作される度に、選択チャンネルを書き込むアドレスが正方向に＋１循環することになる。
【００４７】
Ｓ９７において、表示器２のチャンネル番号表示部２ａやセレクテッドチャンネルセクション５に表示されるチャンネル番号表示部５ａの現在のチャンネル表示を現在の選択チャンネル番号SCにするとともに、表示部２に表示されている各種パラメータ（値そのものや操作子の操作量等）を、その現在の選択チャンネルのパラメータに対応したものに更新し、処理を終了する。
なお、レイヤ選択スイッチ４ａ〜４ｅを切り替えただけではレイヤが変更されるだけで、選択チャンネルの変更は行われない。セレクトスイッチ３ｂ1〜３ｂ24の１つを操作したときに、そのとき選択されているレイヤに含まれる複数のチャンネルの中から１つのチャンネルが選択される。
【００４８】
図６（ｃ）は、履歴読出スイッチ（SEL history）６の操作イベント処理である。
図２（ａ）に示した履歴テーブルにおいて、現在のレジスタ番号をjとして、履歴を読み出すには、レジスタ番号jを−1歩進させて、そのレジスタjに記憶されている選択チャンネルを読み出せばよい。
【００４９】
Ｓ１０１において、履歴テーブルは、リングメモリとして機能しているので、モジュロ計算MOD（j-1，HS）により、読み出しポインタとしてのレジスタjの値を−1する。当該操作イベント処理を開始した時点でのjの値が0であれば、MOD(0−1，HS)＝HS−1になるので、読み出しポインタの位置が循環する。
Ｓ１０２において、レジスタjに記憶された選択チャンネルの値SCH（j）を、現在の選択チャンネル番号SCを保持するSCレジスタに記憶する。
Ｓ１０３において、現在の選択チャンネル番号SCを含むレイヤのレイヤ番号が、LNレジスタに記憶されている現在の選択レイヤ番号LNに一致するか否かを判定する。
一致していれば、直ちに、後述するＳ１０９に処理を進めて、セレクトスイッチ３ｂ1〜３ｂ24の点灯制御をする。
【００５０】
Ｓ１０３において、一致しないときは、以下のＳ１０５〜Ｓ１０８において、レイヤ変更の処理を行う。
その前に、Ｓ１０４において、レイヤ連動モードであるか否かを判定する。
ここで、LEは履歴の読み出し時に、レイヤの選択を連動させるか否かを示す変数である。1に設定された場合はレイヤ連動を有効（レイヤ連動モード）にする。
レイヤ連動を有効にしたときは、履歴の読み出しによりチャンネルが選択されたときに、その選択チャンネルを含むレイヤが選択されることを意味している。
【００５１】
そのため、Ｓ１０５以下の処理では、あたかもレイヤスイッチ４ａ〜４ｅで現在の選択チャンネル番号SCを含むレイヤが選択されたかのような制御が行なわれる。まず、Ｓ１０５において、現在の選択チャンネル番号SCを含むレイヤのレイヤ番号をLNレジスタに設定し、現在の選択レイヤ番号LNとして選択する。
Ｓ１０７、Ｓ１０８においては、その選択レイヤの変更に応じて、図６（a）におけるＳ８２，Ｓ８３と同様の処理を行う。
【００５２】
次に、Ｓ１０９において、セレクトスイッチ３ｂ1〜３ｂ24のうち、現在の選択チャンネル番号SCに対応するセレクトスイッチを点灯させ、他のセレクトスイッチを消灯させる。
ただし、現在の選択レイヤ番号LNに現在の選択チャンネル番号SCが含まれていることがわかっているので、Ｓ８４に含まれる条件判断は不要である。
Ｓ１０６においては、チャンネル番号表示部２ａ，５ａの現在のチャンネル表示を、現在の選択チャンネル番号SCに対応した表示に変更するとともに、表示部２に表示されている各種パラメータ（値そのものや操作子の操作量等）を、その現在の選択チャンネル番号SCのパラメータに対応したものに更新する。
一方、Ｓ１０４において、レイヤ非連動モードであったときは、Ｓ１０６に処理を進め、同様に、現在の選択チャンネルと各種パラメータの表示を更新する。
【００５３】
この実施の形態では、図２（ｂ）あるいは図６（ｂ）（Ｓ９６）を参照して説明したように、セレクトスイッチＳ３ｂ1〜Ｓ３ｂ24の操作イベントにおいて、新たに選択するチャンネルを履歴テーブルに記憶するようになっていた。
しかし、次にセレクトスイッチが操作されるまでそのチャンネルのデータはSCレジスタにも残っているので、必ずしもそのタイミングで図２（ａ）に示した履歴テーブルに記憶しなくてもよい。すなわち、次にセレクトスイッチが操作されたタイミングで、それまでの選択チャンネルを履歴テーブルに記憶するようにしてもよい。
【００５４】
この実施の形態では、複数の入力チャンネルを、重複しないように複数のレイヤに固定的に配分していた。
しかし、各レイヤに属する入力チャンネルを任意に設定できるようにしてもよい。その場合、ある入力チャンネルを複数のレイヤに属するように設定したり、あるいは、いずれのレイヤにも属さない入力チャンネルがあってもよい。
複数のレイヤに属する入力チャンネルについては、レイヤ連動モードで連動選択されるレイヤを、その複数のレイヤのうちのいずれにするかを指定しておく必要がある。一方、いずれのレイヤにも属さない入力チャンネルについては連動して選択すべきレイヤがないので、レイヤ連動モードでレイヤを連動選択しないようにすればよい。
【００５５】
上述した説明では、複数チャンネルの入力チャンネル信号処理部のチャンネルを選択して、信号処理特性を制御するチャンネルを選択する場合について、選択チャンネルの履歴を読み出す場合を説明した。これに加えて、ミキシンングした信号の特性を制御する複数の出力チャンネル信号処理部の信号処理特性を制御するチャンネルを選択する場合を含めて、選択チャンネルの履歴を読み出すようにしてもよい。
その場合、入力チャンネルと出力チャンネルの選択の履歴が混在して履歴テーブルに記録され読み出されるようにしてもよいし、入力チャンネルと出力チャンネルとで別々に履歴テーブルを用意し、選択チャンネルが入力チャンネルである場合は入力チャンネルの履歴テーブルを使い、選択チャンネルが出力チャンネルである場合は出力チャンネルの履歴テーブルを使用するようにしてもよい。
上述した説明では、物理的実体のある、レイヤ選択スイッチおよびチャンネル選択スイッチによって選択されるチャンネルの履歴保持について説明したが、パーソナルコンピュータ等のディスプレイに表示される操作画面上に表示され、マウス等で制御される表示部品としてのレイヤ選択スイッチおよびチャンネル選択スイッチによって、チャンネルが選択されて編集されるものであってもよい。
【図面の簡単な説明】
【００５６】
【図１】本発明の実施の一形態を実現するコントロールパネルの一例を示す説明図である。
【図２】本発明の実施の一形態における、履歴書込動作と履歴読出動作の具体例の説明図である。
【図３】本発明の実施の一形態におけるチャンネル選択操作の具体例を示す説明図である。
【図４】図４は、図１に示した実施の一形態を実現するディジタルミキサ装置における信号処理の解説図である。
【図５】図１に示した実施の一形態を実現するハードウェア構成の一例を示すブロック構成図である。
【図６】図１に示した実施の一形態の動作例を説明するフローチャートである。
【符号の説明】
【００５７】
２…表示器、２ａ…チャンネル番号表示部、３1〜３24…チャンネルストリップ、３ｂ1〜３ｂ24…セレクトスイッチ、４…レイヤセクション、４ａ〜４ｅ…レイヤ選択スイッチ、５…セレクテッドチャンネルセクション、５ａ…チャンネル番号表示部
【図１】
2005328372.tif 000003
【図２】
2005328372.tif 000004
【図３】
2005328372.tif 000005
【図４】
2005328372.tif 000006
【図５】
2005328372.tif 000007
【図６】
2005328372.tif 000008